(57)【要約】  滑動式ドア構造が、少なくとも１つのドアまたはプレート（１２）と、実質的に水平に配置された軌道装置（１３）とを備えている。軌道装置（１３）は、据付け式軌道部（１４）と、ドアを移動させるための少なくとも１つのドアキャリア（１６）とを有している。ドアキャリアは、据付け式軌道部（１４）によって１つ以上の支点で支持されており、第１および第２の反対側の位置の間で前記軌道部に対して水平方向に変位可能である。ドア（１２）は、ドアまたはプレート（１２）の重心が、ドアまたはプレート（１２）の幅の実質的に数分の１である距離だけ、隣接する支点から水平方向に離間するように、軌道装置（１３）に連結されている。したがって、ドア（１２）は、片持ち梁状の方式でキャリア（１６）によって支持され、また、軌道部（１３）の長さは、ドア開口部（１１）の幅にほぼ対応する値に減じることができる。
2008531872.tif 000002
【特許請求の範囲】
【請求項１】
少なくとも１つのドアまたはプレート（１２）と、
実質的に水平に配置された軌道装置（１３）であって、据付け式軌道部（１４）と、少なくとも１つのドアキャリア（１６）とを有し、前記ドアキャリア（１６）がそれぞれ、ドアまたはプレート（１２）の上部に連結され、かつ１つまたは複数の支点で前記据付け式軌道部によって支持されまたは前記据付け式軌道部から懸架され、前記ドアキャリアが、第１および第２の反対側の位置の間で前記軌道部に対して水平方向に変位可能である軌道装置（１３）と、
を備え、
前記ドアまたはプレート（１２）の重心が、前記ドアまたはプレート（１２）の幅の実質的に数分の１である距離だけ、隣接する支点から水平方向に離間するように、前記ドア（１２）が前記軌道装置（１３）に連結されていることを特徴とする滑動式ドア構造。
【請求項２】
請求項１に記載のドア構造であって、前記大部分が、前記ドアの水平方向の幅の８分の１、４分の１、好ましくは８分の３を超えるドア構造。
【請求項３】
請求項１または２に記載のドア構造であって、前記軌道装置（１３）が、前記ドアの平面と一致するかまたは平行である平面において、大きい回転力を受けかつ伝達することができる種類のものであるドア構造。
【請求項４】
請求項１〜３のいずれか１項に記載の滑動式ドア構造であって、前記軌道装置（１３）が、細長いレール状またはロッド状の部材（１４）と、前記細長い部材に沿って変位可能なキャリッジまたは滑動部（１６）とを備える滑動式ドア構造。
【請求項５】
請求項１〜４のいずれか１項に記載の滑動式ドア構造であって、前記ドアキャリアがレールまたはキャリッジ（１６）である滑動式ドア構造。
【請求項６】
請求項１〜５のいずれか１項に記載の滑動式ドア構造であって、各ドア（１２）が、前記ドアの幅の大部分が前記据付け式軌道部（１４）の全長に沿って配置される後退位置と、前記ドアの幅の大部分が前記据付け式軌道部の全長を越えて延びる延長位置との間で移動可能である滑動式ドア構造。
【請求項７】
請求項１〜６のいずれか１項に記載の滑動式ドア構造であって、前記据付け式軌道部（１４）が、壁（１０）に、前記壁（１０）内に画定されたドア開口部（１１）に隣接して固定されるように適合されており、前記ドアキャリア（１６）が、前記軌道部に沿って閉位置と開位置との間で移動可能であり、前記閉位置と開位置において、前記ドア開口部が、前記少なくとも１つのドアによって、それぞれ実質的に覆われ、開放される滑動式ドア構造。
【請求項８】
請求項７に記載の滑動式ドア構造であって、前記据付け式軌道部（１４）が前記ドア開口部（１１）の上方に配置される滑動式ドア構造。
【請求項９】
請求項７または８に記載の滑動式ドア構造であって、前記据付け式軌道部（１４）が、前記ドア開口部（１１）の一方または両方の側に配置される滑動式ドア構造。
【請求項１０】
請求項７〜９のいずれか１項に記載の滑動式ドア構造であって、前記壁が、内部空間を画定する二重壁であり、前記据付け式軌道部（１４）および／またはドア駆動手段（３４）が前記空間内に配置される滑動式ドア構造。
【請求項１１】
請求項１〜１０のいずれか１項に記載の滑動式ドア構造であって、細長いレール状またはロッド状の部材が前記据付け式軌道部（１４）であり、前記キャリッジまたは滑動部が前記ドアキャリア（１６）であるか、あるいは、細長いレール状またはロッド状の部材が前記ドアキャリア（１６）であり、前記キャリッジまたは滑動部が前記据付け式軌道部（１４）である滑動式ドア構造。
【請求項１２】
請求項１１に記載の滑動式ドア構造であって、前記細長いロッド状の部材が、回転可能に構成されたねじ軸（３０）であり、前記キャリッジまたは滑動部（１６）が、前記ねじ軸と係合するナット状の部材である滑動式ドア構造。
【請求項１３】
請求項１１に記載の滑動式ドア構造であって、前記ドアキャリア（１６）が、前記据付け式軌道部（１４）内に伸縮自在に受け入れられる滑動式ドア構造。
【請求項１４】
請求項１１に記載の滑動式ドア構造であって、前記据付け式軌道部（１４）が、実質的にＣ字型の断面を有し、前記ドアキャリア（１６）が、前記ドアキャリアに回転可能に装着されたローラー（１８）を有し、前記ローラーが、前記軌道部の内側と接触して係合する滑動式ドア構造。
【請求項１５】
請求項１〜１４のいずれか１項に記載の滑動式ドア構造であって、第１および第２のドアキャリア（１６）にそれぞれ連結され、滑動式二重ドアを形成するように同じ据付け式軌道部（１４）によって懸架される第１および第２のドアを備える滑動式ドア構造。
【請求項１６】
請求項１〜１４のいずれか１項に記載の滑動式ドア構造であって、回転式ドア構造（図１６および１７）の一部を形成する滑動式ドア構造。
【請求項１７】
請求項１〜１５のいずれか１項に記載の滑動式ドア構造であって、後退位置または閉位置と延長位置または開位置との間で、また延長位置または開位置と後退位置または閉位置との間でドアを移動させるための、選択的に制御可能な電気モーターをさらに備える滑動式ドア構造。
【請求項１８】
請求項１７に記載の滑動式ドア構造であって、前記電気モーターが、ねじ軸およびナットによる駆動装置、ベルトおよびプーリーによる駆動装置、チェーンおよびスプロケットによる駆動装置、ラックおよび歯車による駆動装置、ならびに歯付きベルトおよび歯車による駆動装置からなる群から選択される伝達手段（３５）を介して前記ドアに連結される滑動式ドア構造。
【発明の詳細な説明】
【技術分野】
【０００１】
本発明は、軌道装置上で実質的に垂直の姿勢で変位可能に懸架されるドアを備える形式の滑動式ドア構造に関する。
【背景技術】
【０００２】
従来、ドアの上部が、一対の離間されたドアキャリアまたはキャリッジに連結され、そのドアキャリアまたはキャリッジは、ドアがドア開口部を覆う閉位置においてのみならず、ドア開口部が開放される開位置においてもドアを適切に支持するために、軌道に沿って移動可能となっている。したがって、軌道装置は、ドア開口部の上方で延びていなければならず、また、ドア開口部の幅の約２倍の長さを有していなければならない。この種類の滑動式ドアは、例えばＥＰ０５９７２０８、ＥＰ１４３１４９１、ＤＥ１９７０８４３７、及び１９９５２２６４に開示されている。
【０００３】
これらの既知のドア構造は、ある用途には受け入れられるものとなりうるが、それらのドア構造は、他の場合には、例えば、オフィスビル、ビジネスセンター、病院、個人の家などで使用するとき、ドア構造の軌道装置が大きいことにより、審美的に受け入れられないものとなりうる。
【発明の開示】
【発明が解決しようとする課題】
【０００４】
本発明の目的は、より一層審美的に魅力のあるものとなりうる滑動式ドア構造を提供することである。
【課題を解決するための手段】
【０００５】
したがって、本発明は、少なくとも１つのドアまたはプレートと、実質的に水平に配置された軌道装置とを備える滑動式ドア構造を提供するものであり、その軌道装置は、据付け式（定置）軌道部と少なくとも１つのドアキャリアとを有し、その少なくとも１つのドアキャリアはそれぞれ、ドアまたはプレートを移動させ、１つ以上の支点で据付け式軌道部から懸架されており、前記ドアキャリアは、第１および第２の反対側の位置の間で前記軌道部に対して水平に変位可能であり、また、本発明によるドア構造は、ドアまたはプレートの重心が、ドアまたはプレートの幅の実質的に数分の１である距離だけ、隣接する支点から水平方向に離間するように、ドアが軌道装置に連結されていることを特徴とする。
【０００６】
すなわち、ドアが片持ち梁状の方式で支持されるため、軌道装置の水平方向の長さは、相当に短くすることができる。
【０００７】
従来滑動式ドアに使用されている軌道装置は、ドアの重心が、ドアキャリアと据付け式軌道部の接触点同士の間に位置するという条件で、ドアに作用する重力を受けとめることができる。しかしながら、従来の軌道装置は、ドアの重心が、前記接触点によって画定される支持領域を実質的に越えて位置する場合、それによって生じる力のモーメントのため、正常に機能することができない。したがって、滑動式ドアは片持ち梁状の方式では支持することができないという先入観が存在していた。
【０００８】
この先入観は、本発明の発明者によって克服されており、本発明の発明者は、従来より他の技術分野で使用されている機械部品を使用して上述の目的を達成することに成功できるとの認識を有してきた。
【０００９】
それ自体が既知であるこのような軌道装置を使用することによって、上述した、ドアの幅の実質的に数分の１は、ドアの水平方向の幅の８分の１、４分の１、好ましくは８分の３またはそれ以上をも超えることができ、したがって、軌道装置の水平方向の広がりを、ドア開口部の水平方向の幅よりもはるかに大きくする必要はない。このためには、ドアの平面と一致するかまたは平行である平面において、大きな回転力または力のモーメントを受けかつ伝達することが可能な種類の軌道装置を使用することが必要である。
【００１０】
ドアキャリアは好ましくは、ドアの上縁部の一方の端部においてドアに連結されており、その結果、ドアの延長位置または開位置において、反対側の端部は、据付け式軌道部の隣接する端部を実質的に越えて延びることができる。すなわち、据付け式軌道部の長さは実質的に減じることができる。
【００１１】
軌道装置は、例えば、細長いレール状またはロッド状の部材と、その細長い部材に沿って変位可能なキャリッジまたは滑動部（スライド）とを備えることができる。任意選択により、そのレール状またはロッド状の部材は、据付け式軌道部であってもよく、また、ドアキャリアを形成してもよい。結果的に、キャリッジまたは滑動部は、据付け部またはドアキャリアを構成することができる。ローラーまたはボールが、滑動部またはキャリッジと、その滑動部またはキャリッジと協働する細長いレール状またはロッド状の部材との間に配置されてもよい。
【００１２】
そのドア構造は、１つ以上のドアを備えることができ、各ドアは、ドアの幅の大部分が据付け式軌道部の全長に沿って配置される後退位置と、ドアの幅の大部分が据付け式軌道部の全長を越えて延びる延長位置との間で移動可能にすることができる。
【００１３】
据付け式軌道部は、壁に、その壁内に画定されたドア開口部に隣接して固定されるように適合されていてもよく、ドアキャリアは、軌道部に沿って閉位置と開位置との間で移動可能にすることができ、その閉位置と開位置において、ドア開口部は、前記少なくとも１つのドアによって、それぞれ実質的に覆われ、開放される。
【００１４】
軌道装置は、ドアの上縁部に配置されるが、ある種類の案内面がドアの下縁部に設けられてもよい。ドア開口部のすぐ上方に、据付け式軌道部をその位置に固定するのに十分な空間が存在しない場合もある。別法として、据付け式軌道部は、ドア開口部の一方または両方の側部で、その側部の上部に配置することができる。
【００１５】
据付け式軌道部は、ドア開口部が画定される外側表面上に装着されてもよい。しかしながら、壁が、前記壁同士の間に内部空間を画定する二重壁である場合、据付け式軌道部および／またはドア駆動手段は、そのような空間内に有利にも配置することができ、それによって、その据付け式軌道部および／またはドア駆動手段は、通常の使用の間、実質的に不可視なものとなる。さらに、ドアの寸法は、軌道装置がドアによって覆われるように、ドア開口部の寸法を超えるものであってもよい。
【００１６】
ドアキャリアは、ドアを片持ち梁の方式で支持することができる好適な種類のものであってもよい。従って、ドアキャリアは、据付け式軌道部内にぴったりとまた変位可能に受け入れられるレール又はキャリッジの形式とすることができる。一例として、ドアキャリアは、据付け式軌道部内に伸縮自在（入れ子式、テレスコープ式）に受け入れられてもよく、あるいは、据付け式軌道部は、実質的にＣ字型の断面を有してもよく、また、ドアキャリアは、ドアキャリアに回転可能に装着されかつ据付け式軌道部の内側と接触して係合する、好ましくは等しい数のローラーを有してもよい。据付け式軌道部およびその据付け式軌道部内で受けられるキャリアローラーは、Ｃ字型の断面の開口部が上側もしくは下側に向く実質的に水平な平面内に、または、ドアキャリアが連結されているドアに断面の開口部が向く実質的に垂直な平面内に配置することができる。別法として、細長いロッド状の部材は、回転可能に構成されたねじ軸であってもよく、また、キャリッジまたは滑動部は、そのねじ軸と係合するナット状の部材であってもよい。ねじ軸が、例えば好適なモーターによって回転されると、ナット部材は軸に対して移動される。理解されたいこととして、軸は、ドアキャリアとしてドアに回転可能に装着することができ、ナット状の部材は、壁に、その壁内に形成されたドア開口部に隣接して装着される据付け式軌道部材を構成することができる。別法として、ナット部材はドアキャリアとすることができ、回転可能なねじ軸は据付け式軌道部を構成することができる。
【００１７】
ドア開口部は、ドア開口部の一方の側部の開位置に移動する単一のドアによって閉じられてもよい。別法として、滑動式二重ドアを形成するように、さらなるドアがさらなるドアキャリアに連結され、同じ据付け式軌道部または別個の平行な軌道部によって懸架されてもよい。一対の平行な軌道部またはレールがドア開口部のすぐ上方に配置される場合、これらのレールは、二重ドアが完全に閉じるように、短い長さに沿って重なり合ってもよい。この場合にも、据付け式軌道部は、ドア開口部の幅を相当な程度で超える長さを有する必要はない。
【００１８】
通常、回転式ドアは、円形の横断面または外形を有する空間またはハウジングに配置される。しかしながら、本発明による滑動式ドア構造を使用することにより、長方形、楕円形または他の非円形の外形を有するハウジングに回転式ドアを配置することができる。
【００１９】
本発明によるドア構造のドアは、手動で開くことができる。好ましくは、しかしながら、ドア構造は、後退位置または閉位置と延長位置または開位置との間、または延長位置または開位置と後退位置または閉位置との間でドアを移動するための、選択的に制御可能な電気モーターをさらに備える。このようなモーターは、プッシュボタンもしくはスイッチによって、または、自動的に、例えば光電池および対応する光源によって操作されてもよい。
【００２０】
電気モーターによるドアの移動は、任意の好適な方式でもたらすことができる。したがって、電気モーターは、ねじ軸およびナットによる駆動装置、ベルトおよびプーリーによる駆動装置、チェーンおよびスプロケットによる駆動装置、ラックおよび歯車による駆動装置、ならびに歯付きベルトおよび歯車による駆動装置からなる群から選択された伝達手段を介してドアまたはドアキャリアに連結することができる。また、滑動式ドア構造は、通常は開いているが火災の場合にはそれ自体既知の方式で自動的に閉じる防火戸として使用することもできる。
【００２１】
本発明について、これから図面を参照して説明することにする。
【発明を実施するための最良の形態】
【００２２】
図１〜６は、ドア開口部１１を有する壁１０及び１つまたは２つの滑動式ドア１２を示しており、その滑動式ドアは、ドア開口部１１の上方に配置された軌道装置１３によって懸架されている。軌道装置１３は、壁１０に例えばねじまたはボルト１５によって固定される据付け式軌道部またはレール１４と、レール１４に沿って移動可能な（例えば図３〜５を参照）ドアキャリアまたはキャリッジ１６とを備えることができる。
【００２３】
図１および２は、単一のドア１２を備える本発明による滑動式ドア構造の実施形態を概略的に示し、その単一のドア１２はそれぞれ閉位置および開位置にある。軌道装置１３は、ドア開口部１１の上側の上方に配置され、かつドア開口部１１の上側と平行に延びており、ドアキャリア１６は、ドア１２の右上角に固定されている。すなわち、重心Ｃ（図２）は、ドアキャリア１６から距離ｄだけ水平方向に離間している。ドア１２の重量をＷとすると、軌道装置１３は、その重量Ｗだけでなく、Ｗ×ｄとなる力のモーメントをも受けとめなければならない。代わりに、軌道装置１３の全長は、ドア１２の水平方向の幅を実質的に超えていない。
【００２４】
図３および４は、一対の滑動式ドア１２を有する実施形態を概略的に示し、その一対の滑動式ドア１２は、それぞれ閉位置および開位置にある。ドア１２は、反対方向に移動可能であり、それぞれが上側の隣接する角でドアキャリア１６に連結されている。図５および６は、単一の滑動式ドア１２を概略的に示し、その単一の滑動式ドア１２は、それぞれ閉位置および開位置にある。この場合、軌道装置１３は、ドア開口部の一方の側にのみ配置されている。このような構成は、例えば、軌道装置を装着するための十分な空間がドア開口部の上方に得られない場合に有利となりうる。
【００２５】
図７〜９に示す軌道装置において、キャリッジ１６は、ロッド状の部材１７と、複数、好ましくは同じ数のローラー１８とを備えており、そのローラー１８はキャリッジ１６に回転可能に装着されている。レール１４は、壁１０に据付け式で装着するように適合され、実質的にＣ字型の横断面を有しており、また、レールの内壁表面は、ローラー１８のそれぞれの横断面形状に対して相補的となる横断面形状を有して、レール１４とキャリッジ１６のローラー１８との間の完全な適合が得られるようになっている（図９）。説明した種類の軌道装置１３は市場で入手することができ、例えばスウェーデン国のＲｏｌｌｏｎ  ＡＢにより市販されている。
【００２６】
図７〜９に示す種類の軌道装置を、図１〜６に示すドア構造と共に使用する場合、ロッド状の部材１７は、各ドア１２の上縁部に、各ドア１２の上側の角に非常に隣接して連結することができる。ドアが図３に示すように閉じられているとき、キャリッジ１６は、レール１４の中央部において非常に隣接して位置する。しかしながら、ドアが図４に示すように開いているとき、キャリッジ１６はレール１４の両端部に位置し、ドア１２はその両端部から反対側に片持ち梁状の方式で延びている。すなわち、軌道１３の全長は、実質的にドア１２の全幅にまたはドア開口部１１の幅に対応する値まで減じることができる。図１、２、および５、６に示すように単一のドア１２を使用する場合、ドアが閉位置から開位置へ、または開位置から閉位置へ移動されるとき、キャリッジ１６は、据付け式レール１４の一方の端部から他方の端部へ移動される。理解されたいこととして、別法として、ローラー１８を有するロッド形状の部材１７を、壁に固定される据付け部として使用し、一方でレール１４をドア１２の上縁部に固定することもできる。
【００２７】
図１０〜１３は、軌道装置１３の別の実施形態を示す。図１０および１１において、軌道装置は、堅牢なロッド形状のレール１４とキャリッジ１６とを備えている。レール１４は、レールを固定するための複数のねじ穴２６と、反対側に配置された長手方向に延びる一対のチャネルまたは溝とを有しており、そのチャネルまたは溝は、レール１４内に形成されており、それぞれが円柱状の鋼製ロッド２７を受けている。ローラー２８は、円柱状のロッド２７の横断面形状に対して相補的な横断面形状を有しており、これらの鋼製のロッドとぴったりと係合する。図１２は軌道装置１３を示し、この軌道装置１３は、図１０および１１に示す軌道装置と類似したものである。図１２において、しかしながら、円柱状の鋼製のロッド２７は、ある種のボールベアリングを形成するように、鋼またはセラミクスのボール２９に置き換えられている。図１３に示す実施形態において、据付け式の軌道部１４は、ねじ軸３０および一対のボールベアリング３１によって構成されており、そのボールベアリング３１によって、軸３０は回転可能に装着することができる。ドアキャリア１６は、軸３０の外側のねじ山と係合する内側のねじ山を有するナット状の部材の形式となっている。ナット状のドアキャリア１６が、上述のようにドア１２上に装着されており、ねじ軸３０が、例えば不図示の電気モーターによって回転される場合、ドアはねじ軸の長手方向に移動される。上述した軌道装置１３の実施形態のすべては、ドアキャリア１６に固定されたドア１２の重量だけでなく、ドア１２を片持ち梁状で支持することによって生じる力のモーメントをも受けとめることが可能である。
【００２８】
図１４は、本発明による滑動式ドア構造をオフィスビル内でどのようにして使用しうるかを示し、図１５は、本発明によるドア構造が老人ホームにおいてまたは個人の家において使用されているところを示す。ドア構造は、図３および４に、また図１４の１９で示すように、反対側に移動可能な一対のドア１２を、あるいは、図１、２、５、６に、また図１４および１５の２０で示すように、ドア開口部を覆う単一のドアを備えることができる。
【００２９】
図１６および１７は、ホテル、公共建築物などの入口として使用するための回転ドアまたはエアロックを示す。回転ドアは、据付け式ハウジング２１とローター２２とを備えており、ローラー２２は、ハウジング内で垂直軸の周りで回転可能に配置されている。通常、このような回転ドアは、円形の外形を有するハウジングとローターとを有している。しかしながら、本発明では、正方形、四角形、六角形、楕円形などのような非円形の横断面を有するハウジングを選択することが可能となる。図１６および１７において、ハウジング２１は、実質的に正方形の外形を有し、ローター２２は、十字を形成する４つのブレードを有し、また、各ブレードは、上述した種類の滑動式ドア１２を備えている。このように、各滑動式ドア１２は、図７〜１２のいずれかに示した種類の軌道装置１３から懸架され、延長位置に向かって例えばばね（不図示）によって付勢される。回転ドアのローター２２が既知の方式で回転するとき、各滑動式ドアまたはブレード１２の外縁部は、ハウジング２１の内壁表面と接触した状態に維持される。各ローターブレードは、変位不能な壁部をさらに備えており、その壁部は、軌道１３の少なくとも一部に沿ってかつ軌道１３の下方で、ローターの中心軸から延びている。ハウジング２１は、ハウジング２１内に形成された対向する入口／出口開口部２３を有している。ローター２２は手動の力で回転されてもよいが、好ましくは、それ自体既知である方式で自動的に移動される。
【００３０】
図１８は折り畳み式間仕切壁２４を示し、この折り畳み式間仕切壁２４は、複数の壁区間２５に分割されている。それらの区間の１つは、図３および４に示す種類の滑動式ドア構造を備えている。すなわち、滑動式ドア構造を有する間仕切壁２４は、所望により、折り畳み、しまい込むことができる。このように、壁区間は、天井のレール（不図示）から懸架することができ、それによって壁区間は、間仕切壁で分割された部屋の反対側の側壁に沿って、静止または格納位置へと移動することが可能となっている。
【００３１】
図１９は、単一のドア１２を有する種類の本発明による滑動式ドア構造のさらなる実施形態の正面図および断面図であり、その単一のドア１２は閉位置にあるところを示してある。ドア開口部１１は、石膏ボードなどの一対の離間した壁パネル３２によって形成することができる二重壁の中に画定されており、その一対の離間した壁パネル３２は、ドア開口部１１の上方に配置された水平に延びる梁３３を有している。ドア開口部のすぐ上方で延びる軌道装置１３は、外側の壁パネル内に口を円錐形に広げられた（皿穴をつくられた）軌道部またはレールを有してもよい。軌道部またはレールが口を円錐形に広げられるかどうかに関わらず、ドアは、ドアの閉位置において軌道部または軌道装置を覆うように、大きい寸法としてもよい。壁パネル３２の間の内部空間に配置されたドア駆動機構３４は、エンドレスチェーンまたはベルト３５を備えており、そのエンドレスチェーンまたはベルト３５は、駆動モーターの駆動プーリー３６とアイドラプーリー３７との間に延びている。駆動プーリー３６が両方向に回転されるように駆動モーターを動作させることによって、ドアが開位置から閉位置、または閉位置から開位置（矢印で示す）に移動することができるように、ベルト３５はドアキャリアまたはドアに連結されている。
【００３２】
図２０は、さらなる実施形態を示しており、この実施形態において、ドア開口部の上端部は天井に非常に接近しており、したがって、軌道装置１３を装着する空間が残されていない。ドア構造は単一のドア１２を有しており、そのドア１２は閉位置にあるところを示してある。この場合、軌道装置１３およびドア駆動機構３４は、壁１１内に口を円錐形に広げられてもよいが、ドア開口部の一方の側に配置されており、ドア開口部１１から水平方向に延びている。ドア１２の幅は、ドアが閉じられたとき、ドアがアイドラプーリーおよびチェーンまたはベルト３５の隣接部を覆うような幅となっており、したがって、ドアが開位置と閉位置との間で移動されるとき、ドアまたはドアキャリアは依然としてベルト３５に連結された状態となることができる。
【００３３】
一般に、ドア１２は手動の力によって開くことができる。好ましくは、しかしながら、ドアの移動は、例えば上述したような方式でモーターで操作される。より一般的には、電気モーターは、軸／ナットによる駆動装置、ベルト／プーリーによる駆動装置、歯付きベルト／歯車による駆動装置、チェーン／スプロケットによる駆動装置、またはラック／歯車による駆動装置を含む伝動手段によって、周知の方式でドアに連結することができる。電気モーターは、スイッチまたはプッシュボタンで手動で操作されてもよく、また、光電池および対応する光源などの感知システムによって自動的に操作されてもよい。
【００３４】
理解されたいこととして、本発明によるドア構造は、具体的に前述していない様々な他の状況においても使用することができ、また、上述した実施形態の多数の変更および修正が、添付の特許請求の範囲で定義される本発明の範疇から逸脱することなくなされうる。したがって、据付け式軌道部は通常、軌道装置の中でもより長い要素であるが、より長いこの要素はドアに固定してドアキャリアとして使用することもでき、一方で、軌道装置の互いに移動可能な要素のより短い要素は、ドアの開口部が形成される壁に固定することができる。
【図面の簡単な説明】
【００３５】
【図１】図１は、本発明によるドア構造の実施形態の概略正面図であり、ドアが閉位置にある。
【図２】図２は、本発明によるドア構造の実施形態の概略正面図であり、ドアが開位置にある。
【図３】図３は、本発明によるドア構造の実施形態の概略正面図であり、ドアが閉位置にある。
【図４】図４は、本発明によるドア構造の実施形態の概略正面図であり、ドアが開位置にある。
【図５】図５は、本発明によるドア構造の実施形態の概略正面図であり、ドアが閉位置にある。
【図６】図６は、本発明によるドア構造の実施形態の概略正面図であり、ドアが開位置にある。
【図７】図７は、滑動式ドアを懸架するために使用しうる軌道装置の斜視図である。
【図８】図８は、図７に示す軌道装置のドアキャリアまたはキャリッジの倍尺における正面図である。
【図９】図９は、図７に示す軌道装置の横断面図である。
【図１０】図１０は、本発明によるドア構造において使用しうる軌道装置の第２の実施形態の斜視図である。
【図１１】図１１は、図１０に示す実施形態の横断面図である。
【図１２】図１２は、軌道装置の第３の実施形態の端面図である。
【図１３】図１３は、ねじ軸および対応するナット部材の形式とした軌道装置の第４の実施形態の側面図及び部分断面図である。
【図１４】図１４は、本発明によるドア構造がオフィスビルにおいてどのようにして使用されうるかの例を示す。
【図１５】図１５は、本発明によるドア構造が老人ホームにおいてどのようにして使用されうるかの例を示す。
【図１６】図１６は、本発明による滑動式ドア構造を有する回転式ドアを異なる回転位置で示す概略横断面図である。
【図１７】図１７は、本発明による滑動式ドア構造を有する回転式ドアを異なる回転位置で示す概略横断面図である。
【図１８】図１８は、折り畳み式壁の形式でありかつ本発明による滑動式ドア構造を有する間仕切壁の概略正面図である。
【図１９】図１９は、一対の離間したプレートを備える壁に配置された本発明による滑動式ドア構造の正面図および断面図である。
【図２０】図２０は、本発明によるドア構造のさらなる実施形態の正面図である。
【図１】
2008531872.tif 000003
【図２】
2008531872.tif 000004
【図３】
2008531872.tif 000005
【図４】
2008531872.tif 000006
【図５】
2008531872.tif 000007
【図６】
2008531872.tif 000008
【図７】
2008531872.tif 000009
【図８】
2008531872.tif 000010
【図９】
2008531872.tif 000011
【図１０】
2008531872.tif 000012
【図１１】
2008531872.tif 000013
【図１２】
2008531872.tif 000014
【図１３】
2008531872.tif 000015
【図１４】
2008531872.tif 000016
【図１５】
2008531872.tif 000017
【図１６】
2008531872.tif 000018
【図１７】
2008531872.tif 000019
【図１８】
2008531872.tif 000020
【図１９】
2008531872.tif 000021
【図２０】
2008531872.tif 000022
【手続補正書】
【提出日】平成19年10月24日(2007.10.24)
【手続補正１】
【補正対象書類名】特許請求の範囲
【補正対象項目名】全文
【補正方法】変更
【補正の内容】
【特許請求の範囲】
【請求項１】
少なくとも１つのドアまたはプレート（１２）と、
実質的に水平に配置された軌道装置（１３）であって、据付け式軌道部（１４）と、単一のドアキャリア（１６）とを有し、前記ドアキャリア（１６）が、ドアまたはプレート（１２）の上部に連結され、かつ前記ドアまたはプレート（１２）の総重量を支持するように支点において前記据付け式軌道部によって支持されまたは前記据付け式軌道部から懸架され、前記ドアキャリアが、第１および第２の反対側の位置の間で前記軌道部に対して水平方向に変位可能である軌道装置（１３）と、
を備え、
前記ドアまたはプレート（１２）の重心が、前記ドアまたはプレート（１２）の幅の８分の１を超える距離だけ、前記支点から水平方向に離間するように、前記ドアまたはプレート（１２）が前記軌道装置（１３）に連結されている滑動式ドア構造。
【請求項２】
請求項１に記載のドア構造であって、前記距離が、前記ドアまたはプレート（１２）の水平方向の幅の４分の１、好ましくは８分の３を超えるドア構造。
【請求項３】
請求項１または２に記載のドア構造であって、前記軌道装置（１３）が、前記ドアまたはプレート（１２）の平面と一致するかまたは平行である平面において、大きい回転力を受けかつ伝達することができる種類のものであるドア構造。
【請求項４】
請求項１〜３のいずれか１項に記載の滑動式ドア構造であって、前記軌道装置（１３）が、細長いレール状またはロッド状の部材（１４）と、前記細長い部材に沿って変位可能なキャリッジまたは滑動部（１６）とを備える滑動式ドア構造。
【請求項５】
請求項１〜４のいずれか１項に記載の滑動式ドア構造であって、前記ドアキャリアがレールまたはキャリッジ（１６）である滑動式ドア構造。
【請求項６】
請求項１〜５のいずれか１項に記載の滑動式ドア構造であって、各ドアまたはプレート（１２）が、前記ドアまたはプレートの幅の大部分が前記据付け式軌道部（１４）の全長に沿って配置される後退位置と、前記ドアまたはプレートの幅の大部分が前記据付け式軌道部の全長を越えて延びる延長位置との間で移動可能である滑動式ドア構造。
【請求項７】
請求項１〜６のいずれか１項に記載の滑動式ドア構造であって、前記据付け式軌道部（１４）が、壁（１０）に、前記壁（１０）内に画定されたドア開口部（１１）に隣接して固定されるように適合されており、前記ドアキャリア（１６）が、前記軌道部に沿って閉位置と開位置との間で移動可能であり、前記閉位置と開位置において、前記ドア開口部が、前記少なくとも１つのドアまたはプレートによって、それぞれ実質的に覆われ、開放される滑動式ドア構造。
【請求項８】
請求項７に記載の滑動式ドア構造であって、前記据付け式軌道部（１４）が前記ドア開口部（１１）の上方に配置される滑動式ドア構造。
【請求項９】
請求項７または８に記載の滑動式ドア構造であって、前記据付け式軌道部（１４）が、前記ドア開口部（１１）の一方または両方の側に配置される滑動式ドア構造。
【請求項１０】
請求項７〜９のいずれか１項に記載の滑動式ドア構造であって、前記壁が、内部空間を画定する二重壁であり、前記据付け式軌道部（１４）および／またはドア駆動手段（３４）が前記空間内に配置される滑動式ドア構造。
【請求項１１】
請求項１〜１０のいずれか１項に記載の滑動式ドア構造であって、細長いレール状またはロッド状の部材が前記据付け式軌道部（１４）であり、前記キャリッジまたは滑動部が前記ドアキャリア（１６）であるか、あるいは、細長いレール状またはロッド状の部材が前記ドアキャリア（１６）であり、前記キャリッジまたは滑動部が前記据付け式軌道部（１４）である滑動式ドア構造。
【請求項１２】
請求項１１に記載の滑動式ドア構造であって、前記細長いロッド状の部材が、回転可能に構成されたねじ軸（３０）であり、前記キャリッジまたは滑動部（１６）が、前記ねじ軸と係合するナット状の部材である滑動式ドア構造。
【請求項１３】
請求項１１に記載の滑動式ドア構造であって、前記ドアキャリア（１６）が、前記据付け式軌道部（１４）内に伸縮自在に受け入れられる滑動式ドア構造。
【請求項１４】
請求項１１に記載の滑動式ドア構造であって、前記据付け式軌道部（１４）が、実質的にＣ字型の断面を有し、前記ドアキャリア（１６）が、前記ドアキャリアに回転可能に装着されたローラー（１８）を有し、前記ローラーが、前記軌道部の内側と接触して係合する滑動式ドア構造。
【請求項１５】
請求項１〜１４のいずれか１項に記載の滑動式ドア構造であって、第１および第２のドアキャリア（１６）にそれぞれ連結され、滑動式二重ドアを形成するように同じ据付け式軌道部（１４）によって懸架される第１および第２のドアを備える滑動式ドア構造。
【請求項１６】
請求項１〜１４のいずれか１項に記載の滑動式ドア構造であって、回転式ドア構造（図１６および１７）の一部を形成する滑動式ドア構造。
【請求項１７】
請求項１〜１５のいずれか１項に記載の滑動式ドア構造であって、後退位置または閉位置と延長位置または開位置との間で、また延長位置または開位置と後退位置または閉位置との間でドアを移動させるための、選択的に制御可能な電気モーターをさらに備える滑動式ドア構造。
【請求項１８】
請求項１７に記載の滑動式ドア構造であって、前記電気モーターが、ねじ軸およびナットによる駆動装置、ベルトおよびプーリーによる駆動装置、チェーンおよびスプロケットによる駆動装置、ラックおよび歯車による駆動装置、ならびに歯付きベルトおよび歯車による駆動装置からなる群から選択される伝達手段（３５）を介して前記ドアまたはプレートに連結される滑動式ドア構造。
【国際調査報告】
2008531872.tif 000023
2008531872.tif 000024
2008531872.tif 000025